(57)【要約】【課題】高品質な動画像を提供できるようにする。【解決手段】本発明は、表示画像データＤ３のうち任意の座標Ｑ（ｘ，ｙ）における信号レベルＳ（ｎ）と、相関データＤ４のうち当該座標Ｑ（ｘ，ｙ）対応する差分値Ｅ（ｎ）とを基に、（４）〜（６）式に従って３回のパルス信号におけるそれぞれのパルスレベルＰ１（ｎ）、Ｐ２（ｎ）及びＰ３（ｎ）を算出し、これらを駆動データＤ６として表示デバイス２に供給することにより、表示期間ｎにおける各表示画素の駆動レベルの変化を有機ＥＬパネルでなる表示デバイス２の応答特性及び人間の視覚特性に合わせて調整することができるので、表示デバイス２に表示された動画像を鑑賞するユーザに残像を認識させる可能性を極めて低減し当該ユーザに対して高画質な動画像を提供することができる。【選択図】        図２
2007199193.tif 000002
【特許請求の範囲】
【請求項１】
動画像を構成する所定表示期間毎の静止画像を当該表示期間毎に所定の表示デバイスに表示させるための駆動データを生成する信号処理装置であって、
上記静止画像の所定座標における画素値と当該静止画像の次の表示期間に表示すべき静止画像の上記所定座標における画素値との相関情報を取得する取得部と、
上記静止画像の上記所定座標における画素値と上記相関情報とに応じて上記表示期間内における当該静止画像の当該所定座標に対応する表示画素の駆動レベルの変化を調整する制御部と
を具えることを特徴とする信号処理装置。
【請求項２】
上記駆動データは、
上記表示画素毎にそれぞれ複数のパルスが対応付けられ、
上記制御部は、
上記複数のパルスにおける出力レベルを個別に調整する
ことを特徴とする請求項１に記載の信号処理装置。
【請求項３】
上記駆動データは、
上記表示画素毎にそれぞれ１回のパルスが対応付けられ、
上記制御部は、
上記表示画素毎に上記表示期間内における上記１回のパルスを出力すべきタイミングをそれぞれ調整する
ことを特徴とする請求項１に記載の信号処理装置。
【請求項４】
上記相関情報は、
上記静止画像の所定座標における画素値と当該静止画像の次の表示期間に表示すべき静止画像の上記所定座標における画素値との差分値でなる
ことを特徴とする請求項１に記載の信号処理装置。
【請求項５】
上記相関情報は、
上記静止画像の所定座標における画素値と当該静止画像の次の表示期間に表示すべき静止画像の上記所定座標における画素値との比率でなる
ことを特徴とする請求項１に記載の信号処理装置。
【請求項６】
上記動画像は、
当該動画像を構成する上記静止画像が少なくとも次の表示期間における上記静止画像を用いて予測符号化され上記相関情報が含まれる動画像データが順次復号化されてなる
ことを特徴とする請求項１に記載の信号処理装置。
【請求項７】
上記取得部は、
上記動画像が上記予測符号化された際に生成された上記動画像データから上記相関情報を抽出する
ことを特徴とする請求項６に記載の信号処理装置。
【請求項８】
動画像を構成する所定表示期間毎の静止画像を当該表示期間毎に所定の表示デバイスに表示させるための駆動データを生成する信号処理方法であって、
上記静止画像の所定座標における画素値と当該静止画像の次の表示期間に表示すべき静止画像の上記所定座標における画素値との相関情報を取得する取得ステップと、
上記静止画像の上記所定座標における画素値と上記相関情報とに応じて上記表示期間内における当該静止画像の当該所定座標に対応する表示画素の駆動レベルの変化を調整する制御ステップと
を具えることを特徴とする信号処理方法。
【請求項９】
信号処理装置に対して、動画像を構成する所定表示期間毎の静止画像を当該表示期間毎に所定の表示デバイスに表示させるための駆動データを生成させる信号処理プログラムであって、
上記静止画像の所定座標における画素値と当該静止画像の次の表示期間に表示すべき静止画像の上記所定座標における画素値との相関情報を取得する取得ステップと、
上記静止画像の上記所定座標における画素値と上記相関情報とに応じて上記表示期間内における当該静止画像の当該所定座標に対応する表示画素の駆動レベルの変化を調整する制御ステップと
を実行させることを特徴とする信号処理プログラム。
【請求項１０】
動画像を構成する所定表示期間毎の静止画像を当該表示期間毎に所定の表示デバイスに表示する表示装置であって、
上記静止画像の所定座標における画素値と当該静止画像の次の表示期間に表示すべき静止画像の上記所定座標における画素値との相関情報を取得する取得部と、
上記静止画像の上記所定座標における画素値と上記相関情報とに応じて上記表示期間内における当該静止画像の当該所定座標に対応する表示画素の駆動レベルの変化を調整する制御部と
を具えることを特徴とする表示装置。
【請求項１１】
上記表示デバイスは、
有機ＥＬ（electroluminescence）パネルでなる
ことを特徴とする請求項１０に記載の表示装置。
【発明の詳細な説明】
【技術分野】
【０００１】
本発明は信号処理装置、信号処理方法、信号処理プログラム及び表示装置に関し、例えばテレビジョン装置に適用して好適なものである。
【背景技術】
【０００２】
近年、テレビジョン装置においては、大画面化・薄型化といった要望に応じるべく、従来のＣＲＴ（Cathode Ray Tube）に代わって液晶パネルやプラズマディスプレイパネル等が表示デバイスとして用いられることにより、全体として薄型に構成されたものが普及しつつある。
【０００３】
例えば液晶パネルが用いられたテレビジョン装置では、液晶パネルの原理上、表示素子の応答速度が比較的遅いため、いわゆる残像現象を生じやすく、動画像を表示する際に鑑賞者に対して映像がぼやけているような印象を与えてしまう可能性があった。
【０００４】
そこで、液晶パネルが用いられたテレビジョン装置のなかには、１フレーム前の画像を元に補正信号を生成して液晶パネルに供給する表示信号を補正することにより、残像現象を抑えるようになされたものが提案されている（例えば、特許文献１参照）。
【特許文献１】特開２００２−８２６５７公報（第１８頁、第２図）
【発明の開示】
【発明が解決しようとする課題】
【０００５】
ところで近年では、新たな表示デバイスとして有機ＥＬ（electroluminescence）パネルが注目され、実用化に向けて開発が進められている。
【０００６】
この有機ＥＬパネルは、原理的に応答速度が充分に高速であるため、表示信号に応じたタイミングで各表示素子を表示し得るといった観点から、当該表示信号に対する補正は不要であると考えられている。
【０００７】
ここで、一般的な人間の視覚特性として、テレビジョン装置の表示デバイスに限らず、光を見た直後に残像が残ることがあり、光の明るさが明るくなるほど残像が長引くといった性質がある。
【０００８】
また、有機ＥＬパネルのような比較的応答速度が高速な表示デバイスであっても、表示素子が完全に遅延なく応答することはないため、僅かながら残像現象を生じてしまう。
【０００９】
このため、有機ＥＬパネルが用いられたテレビジョン装置では、動画像を鑑賞するユーザの視覚特性と有機ＥＬパネルの応答特性とから、当該ユーザに残像があるかのように認識させてしまう可能性がある。
【００１０】
例えばテレビジョン装置は、図７（Ａ）に示すように、任意の座標Ｑ（ｘ、ｙ）に着目した場合、当該座標Ｑ（ｘ，ｙ）に相当する表示素子に対して図７（Ｂ）に示すような駆動信号が供給され、当該表示素子により当該駆動信号に応じた表示を行ったとしても、ユーザに対して図７（Ｃ）に波形を示すような出力レベルを認識させることになってしまう。
【００１１】
すなわちテレビジョン装置は、比較的応答速度が高速な表示デバイスを用いていたとしても、ユーザの視覚特性と表示デバイスの応答特性とから、当該ユーザに残像を認識させて結果的に低品質な動画像を鑑賞しているかのような印象を与えてしまう可能性があるという問題があった。
【００１２】
本発明は以上の点を考慮してなされたもので、高品質な動画像を提供し得る信号処理装置、信号処理方法、信号処理プログラム及び表示装置を提案しようとするものである。
【課題を解決するための手段】
【００１３】
かかる課題を解決するため本発明の信号処理装置、信号処理方法及び信号処理プログラムにおいては、動画像を構成する所定表示期間毎の静止画像を当該表示期間毎に所定の表示デバイスに表示させるための駆動データを生成する際、静止画像の所定座標における画素値と当該静止画像の次の表示期間に表示すべき静止画像の所定座標における画素値との相関情報を取得し、静止画像の所定座標における画素値と相関情報とに応じて表示期間内における当該静止画像の当該所定座標に対応する表示画素の駆動レベルの変化を調整するようにした。
【００１４】
これにより、ある表示期間に表示すべき静止画像を構成する各座標の表示画素における駆動レベルの変化を、その次の表示期間に表示すべき静止画像における同一座標の画素値に応じて、静止画像を鑑賞するユーザに当該表示期間における表示内容を次の表示期間までの残像として認識させないよう調整することができる。
【００１５】
また本発明の表示装置においては、動画像を構成する所定表示期間毎の静止画像を当該表示期間毎に所定の表示デバイスに表示する表示装置であって、静止画像の所定座標における画素値と当該静止画像の次の表示期間に表示すべき静止画像の所定座標における画素値との相関情報を取得する取得手段と、静止画像の所定座標における画素値と相関情報とに応じて表示期間内における当該静止画像の当該所定座標に対応する表示画素の駆動レベルの変化を調整する制御部とを設けるようにした。
【００１６】
これにより、ある表示期間に表示デバイスに表示すべき静止画像を構成する各座標の表示画素における駆動レベルの変化を、その次の表示期間に表示すべき静止画像における同一座標の画素値に応じて、静止画像を鑑賞するユーザに当該表示期間における表示内容を次の表示期間までの残像として認識させないよう調整することができる。
【発明の効果】
【００１７】
本発明によれば、ある表示期間に表示すべき静止画像を構成する各座標の表示画素における駆動レベルの変化を、その次の表示期間に表示すべき静止画像における同一座標の画素値に応じて、静止画像を鑑賞するユーザに当該表示期間における表示内容を次の表示期間までの残像として認識させないよう調整することができ、かくして高品質な動画像を提供し得る信号処理装置、信号処理方法及び信号処理プログラムを実現できる。
【００１８】
また本発明によれば、ある表示期間に表示デバイスに表示すべき静止画像を構成する各座標の表示画素における駆動レベルの変化を、その次の表示期間に表示すべき静止画像における同一座標の画素値に応じて、静止画像を鑑賞するユーザに当該表示期間における表示内容を次の表示期間までの残像として認識させないよう調整することができ、かくして高品質な動画像を提供し得る表示装置を実現できる。
【発明を実施するための最良の形態】
【００１９】
以下、図面について、本発明の一実施の形態を詳述する。
【００２０】
（１）テレビジョン装置の構成
図１において、テレビジョン装置１は、地上ディジタル放送やＢＳ（Broadcast Satellite）ディジタル放送により放送されるテレビジョン放送番組を受信し、有機ＥＬパネルでなる表示デバイス２にその映像を表示すると共に、図示しないスピーカからその音声を出力することにより、当該テレビジョン放送番組をユーザに視聴させ得るようになされている。
【００２１】
テレビジョン装置１は、アンテナ３を介して受信したディジタルテレビジョン放送信号Ｂ１に対して受信処理部４により所定の復調処理等を施すことにより、ＭＰＥＧ−２（Motion Pictures Expert Group-2）方式で符号化されている符号化データＤ１を抽出し、これを画像デコード処理部５へ供給する。
【００２２】
画像デコード処理部５は、符号化データＤ１に対してＭＰＥＧ−２方式による復号化処理等を施すことにより再生画像データＤ２を順次生成し、これを再生画像保持部６へ供給する。再生画像保持部６は、供給される再生画像データＤ２を保持すると共に、１枚の静止画像を表す再生画像データＤ２を所定の表示期間毎（例えば１／６０秒＝１フィールド毎）に画質改善処理部７へ送出する。
【００２３】
画質改善処理部７は、供給される再生画像データＤ２に対してＩ／Ｐ（Interlace/Progressive）変換処理等の画質を改善する処理を施すことにより表示画像データＤ３を生成し、これを表示デバイス駆動部８の調整データ生成部８Ａ及び駆動データ生成部８Ｂへ供給する。
【００２４】
ここで表示画像データＤ３は、表示デバイス２により所定の表示期間毎（例えば１／６０秒毎）に表示されるべき静止画像である。また当該静止画像（例えば横１９２０画素×縦１０８０画素）を構成する各画素は、表示デバイス２を構成する表示画素（例えば横１９２０画素×縦１０８０画素）と１対１で対応するようになされている。
【００２５】
ところで画像デコード処理部５は、符号化データＤ１に対してＭＰＥＧ−２方式による復号化処理等を施す際、当該符号化データＤ１が予測符号化されている、すなわち未来の再生画像データを用いて符号化されている場合がある。このとき画像デコード処理部５は、ある時点の再生画像データＤ２を復号化する際、当該再生画像データＤ２の時点よりも未来の時点に相当する再生画像データを構成する各画素の画素値や相関値（例えば画素値同士の差分値）等も内部に有することになる。
【００２６】
画像デコード処理部５は、再生画像データＤ２を構成する各画素に関して、当該再生画像データＤ２の次に生成すべき再生画像データにおける同一座標の画素の画素値との差分値を相関データＤ４として相関データ保持部９へ供給する。
【００２７】
相関データ保持部９は、相関データＤ４を保持した後、表示デバイス２における表示期間に応じた所定のタイミング毎に当該相関データＤ４を表示デバイス駆動部８へ送出するようになされている。
【００２８】
因みに相関データ保持部９は、次画像データにおける画素値そのものではなく、当該画素値よりも数値が比較的小さい差分値を保持することにより、当該数値（すなわち画素値又は差分値）の保持に必要な記憶域を削減し得るようになされている。
【００２９】
表示デバイス駆動部８は、調整データ生成部８Ａにおいて、表示画像データＤ３及び相関データＤ４を基に、当該表示画像データＤ３を調整するための調整データＤ５を生成し、これを駆動データ生成部８Ｂへ供給する。
【００３０】
続いて表示デバイス駆動部８は、駆動データ生成部８Ｂにおいて、表示画像データＤ３と調整データＤ５とを基に、当該表示画像データＤ３を構成する画素単位で駆動データ生成処理（詳しくは後述する）を行うことにより、表示デバイス２の各表示画素を駆動するための駆動データＤ６を生成する。
【００３１】
このとき表示デバイス２は、駆動データ生成処理を行うことにより、表示画像データＤ３に対して、当該表示画像データＤ３の次の表示期間に表示すべき表示画像データに応じた調整処理を施して駆動データＤ６を生成することになる。
【００３２】
さらに表示デバイス駆動部８は、この駆動データＤ６を表示デバイス２へ供給することにより、当該駆動データＤ６に応じた画像、すなわち次の表示期間における画像に応じて調整された画像を当該表示デバイス２に表示させる。
【００３３】
このようにテレビジョン装置１は、表示画像データＤ３に対して、当該表示画像データＤ３とその次に表示すべき表示画像データとの差分値に相当する相関データＤ４を用いた駆動データ生成処理を行うことにより、次の表示期間における画像に応じて調整された駆動データＤ６を生成し、その画像を表示デバイス２に表示するようになされている。
【００３４】
（２）駆動データの生成
ところでテレビジョン装置１の表示デバイス２は、上述したように有機ＥＬパネルでなるため、その特性上、応答速度が比較的高速であるものの、高レベルの駆動データが供給されると当該表示デバイス２を構成する表示素子にダメージを与えることになってしまい、その寿命（すなわち正常に動作する期間の長さ）を縮めてしまう危険性がある。
【００３５】
そこでテレビジョン装置１では、表示デバイス駆動部８において、１回の表示期間内に、比較的低レベルの３回のパルスでなる駆動データＤ６を生成して表示デバイス２へ供給することにより、当該表示デバイス２の各表示素子を保護するようになされている。
【００３６】
このとき表示デバイス駆動部８は、画質改善処理部７から供給される表示画像データＤ３における信号レベルを単純に３等分するのではなく、相関データ保持部９から供給される相関データＤ４を基に、次の表示期間における表示画像データに応じた３回のパルスでなる駆動データＤ６を生成するようになされている。
【００３７】
さらに表示デバイス駆動部８は、表示画像データＤ３のうち任意の座標Ｑ（ｘ，ｙ）における信号レベルＳに対して、相関データＤ４のうち当該座標Ｑ（ｘ，ｙ）に対応する差分値を用いるようになされている。
【００３８】
具体的に表示デバイス駆動部８の調整データ生成部８Ａは、表示期間ｎにおける座標Ｑ（ｘ，ｙ）に関して、まず表示画像データＤ３に含まれる信号レベルＳ（ｎ）及び相関データＤ４に含まれる差分値Ｅ（ｎ）を基に、次に示す（１）式に従って表示期間ｎ＋１の信号レベルＳ（ｎ＋１）を算出する。
【００３９】
【数１】
2007199193.tif 000003
【００４０】
続いて調整データ生成部８Ａは、座標Ｑ（ｘ，ｙ）に関して、次に示す（２）式及び（３）式に従って中間値ＭＡ及びＭＢを算出する。
【００４１】
【数２】
2007199193.tif 000004
【００４２】
【数３】
2007199193.tif 000005
【００４３】
実際上、調整データ生成部８Ａは、表示画像データＤ３を構成する全座標について中間値ＭＡ及びＭＢを算出し、これらを調整データＤ５として駆動データ生成部８Ｂへ供給する。
【００４４】
これに応じて表示デバイス駆動部８の駆動データ生成部８Ｂは、信号レベルＳ（ｎ）、中間値ＭＡ及びＭＢを用いて、次に示す（４）式、（５）式及び（６）式に従って表示期間ｎにおけるパルスレベルＰ１（ｎ）、Ｐ２（ｎ）及びＰ３（ｎ）を算出する。
【００４５】
【数４】
2007199193.tif 000006
【００４６】
【数５】
2007199193.tif 000007
【００４７】
【数６】
2007199193.tif 000008
【００４８】
ここで（４）〜（６）式は、有機ＥＬパネルでなる表示デバイス２の応答特性及び人間の視覚特性が考慮されており、当該表示デバイス２を鑑賞するユーザが残像を知覚しないよう、表示期間ｎ＋１における信号レベルＳ（ｎ＋１）に応じて、表示期間ｎにおける３つのパルスレベルＰ１（ｎ）、Ｐ２（ｎ）及びＰ３（ｎ）のレベル配分を調整し得るようになされている。
【００４９】
これにより駆動データ生成部８Ｂは、表示デバイス２においてユーザが残像を知覚しないような、１個の表示画素についてパルスレベルＰ１（ｎ）、Ｐ２（ｎ）及びＰ３（ｎ）でなる３回のパルスを有する駆動データＤ６を生成することができる。
【００５０】
因みに駆動データ生成部８Ｂは、表示画像データＤ３を構成する全座標について、上述した（４）〜（６）式に従って３つのパルスレベルＰ１（ｎ）、Ｐ２（ｎ）及びＰ３（ｎ）を算出するようになされている。
【００５１】
さらに駆動データ生成部８Ｂは、表示デバイス２の表示特性等に応じて予め設定されたガンマ補正値等に従い、駆動データＤ６に対してガンマ補正等の調整を行うようになされている。
【００５２】
このように表示デバイス駆動部８は、任意の座標Ｑ（ｘ，ｙ）に関して、表示画像データＤ３に含まれる信号レベルＳ（ｎ）と、相関データＤ４に含まれる差分値Ｅ（ｎ）とを基に、駆動データＤ６を構成する３回のパルス信号におけるパルスレベルＰ１（ｎ）、Ｐ２（ｎ）及びＰ３（ｎ）をそれぞれ算出するようになされている。
【００５３】
これにより表示デバイス駆動部８は、例えば図２（Ａ）に示すような表示画像データＤ３に対して、図２（Ｂ）に示すような駆動データＤ６を生成し、これを表示デバイス２に供給することができる。
【００５４】
因みに実際の表示画像データＤ３及び駆動データＤ６においては、それぞれ１枚の静止画像を構成する全表示画素用のパルスが連続しているため、同一座標に相当するパルス同士が隣接しないものの、説明の都合上、図２（Ａ）及び（Ｂ）においては、座標Ｑ（ｘ，ｙ）に位置する１画素に着目した場合の表示画像データＤ３及び駆動データＤ６を表示間隔毎に並べて示している。
【００５５】
この結果、テレビジョン装置１は、図２（Ｃ）に実線で示すように、表示デバイス２に表示される動画像を鑑賞するユーザに対して、あたかも各表示画素が表示期間ごとに表示画像データＤ３の信号レベルに高精度に対応した出力レベルで表示しているかのように認識させることができ、表示画像データＤ３を単純に表示デバイス２に供給した場合（図中破線で示す）と比較して、格段に高品質な動画像を提供することができる。
【００５６】
これを換言すれば、テレビジョン装置１は、表示期間ｎにおける表示画像データＤ３の駆動レベルを表示期間ｎ＋１における表示画像データとの相関値を基に調整することにより、ユーザに与える残像感を大幅に低減して高品質な動画像を当該ユーザに提供することができる。
【００５７】
（３）駆動データ生成処理手順
次に、テレビジョン装置１の表示デバイス駆動部８が駆動データＤ６を生成する際の駆動データ生成処理手順ＲＴ１について、図３のフローチャートを用いて説明する。
【００５８】
すなわち表示デバイス駆動部８は、画質改善処理部７（図１）から表示期間ｎにおける表示画像データＤ３を構成する各座標Ｑ（ｘ，ｙ）の信号レベルＳ（ｎ）が供給される度に駆動データ生成処理手順ＲＴ１を開始し、ステップＳＰ１へ移る。ステップＳＰ１において表示デバイス駆動部８は、調整データ生成部８Ａにより、相関データ保持部９から供給される相関データＤ４のうち座標Ｑ（ｘ，ｙ）における差分値Ｅ（ｎ）を取り出し、次のステップＳＰ２へ移る。
【００５９】
ステップＳＰ２において表示デバイス駆動部８は、調整データ生成部８Ａにより、信号レベルＳ（ｎ）と差分値Ｅ（ｎ）とを基に（１）式に従って信号レベルＳ（ｎ＋１）を算出し、次のステップＳＰ３へ移る。
【００６０】
ステップＳＰ３において表示デバイス駆動部８は、調整データ生成部８Ａにより、（２）式及び（３）式に従って中間値ＭＡ及びＭＢをそれぞれ算出し、次のステップＳＰ４へ移る。
【００６１】
ステップＳＰ４において表示デバイス駆動部８は、駆動データ生成部８Ｂにより、（４）〜（６）式に従ってパルスレベルＰ１（ｎ）、Ｐ２（ｎ）及びＰ３（ｎ）をそれぞれ算出し、次のステップＳＰ５へ移って駆動データ生成処理手順ＲＴ１を終了する。
【００６２】
その後表示デバイス駆動部８は、全座標分のパルスレベルＰ１（ｎ）、Ｐ２（ｎ）及びＰ３（ｎ）を算出し、各パルスレベルに応じた多数のパルスでなる駆動データＤ６を生成し、これを表示デバイス２へ供給することにより、当該表示デバイス２に画像を表示させるようになされている。
【００６３】
（４）動作及び効果
以上の構成において、テレビジョン装置１は、表示デバイス駆動部８により、表示画像データＤ３のうち任意の座標Ｑ（ｘ，ｙ）における信号レベルＳ（ｎ）と、相関データＤ４のうち当該座標Ｑ（ｘ，ｙ）対応する差分値Ｅ（ｎ）とを基に、有機ＥＬパネルでなる表示デバイス２の応答特性及び人間の視覚特性が考慮された（４）〜（６）式に従って３回のパルス信号におけるそれぞれのパルスレベルＰ１（ｎ）、Ｐ２（ｎ）及びＰ３（ｎ）を算出し、これらを駆動データＤ６として表示デバイス２に供給する。
【００６４】
従ってテレビジョン装置１は、表示デバイス２の各表示画素に対応する本来１回のパルスでなる表示画像データＤ３の信号レベルＳ（ｎ）をパルスレベルＰ１（ｎ）、Ｐ２（ｎ）及びＰ３（ｎ）でなる３回のパルスに分配することにより、表示期間ｎにおける各表示画素の駆動レベルの変化を有機ＥＬパネルでなる表示デバイス２の応答特性及び人間の視覚特性に合わせて調整することができるので、当該表示デバイス２に表示される動画像を鑑賞するユーザに残像を認識させる可能性を極めて低減することができ、当該ユーザに対して高画質な動画像を提供することができる。
【００６５】
このときテレビジョン装置１は、任意の座標Ｑ（ｘ，ｙ）に関する表示期間ｎの再生画像データＤ２とその次の表示期間ｎ＋１の再生画像データとの差分値である相関データＤ４（すなわち差分値Ｅ（ｎ））を用いるため、次の表示期間ｎ＋１における信号レベルが考慮された、残像現象を効果的に防止し得るような駆動データＤ６（すなわちパルスレベルＰ１（ｎ）、Ｐ２（ｎ）及びＰ３（ｎ））を算出することができる。
【００６６】
またテレビジョン装置１は、任意の座標Ｑ（ｘ，ｙ）における信号レベルＳ（ｎ）及び差分値Ｅ（ｎ）のみを基に、当該座標Ｑ（ｘ，ｙ）のパルスレベルＰ１（ｎ）、Ｐ２（ｎ）及びＰ３（ｎ）を算出することができるので、他の座標の信号レベル等を用いる場合と比較して、当該パルスレベルＰ１（ｎ）、Ｐ２（ｎ）及びＰ３（ｎ）の算出処理を簡略化することができ、表示デバイス駆動部８等の構成を簡素化することができる。
【００６７】
特にテレビジョン装置１は、再生画像データＤ２を構成する各画素に関して、当該再生画像データＤ２の次に生成すべき次画像データにおける同一座標の画素の画素値との差分値でなる相関データＤ４を生成する際、符号化データＤ１がＭＰＥＧ−２方式により予測符号化されているため、複雑な演算処理を必要とすることなく当該符号化データＤ１から当該相関データＤ４を容易に生成することができる。
【００６８】
以上の構成によれば、テレビジョン装置１は、表示画像データＤ３のうち任意の座標Ｑ（ｘ，ｙ）における信号レベルＳ（ｎ）と、相関データＤ４のうち当該座標Ｑ（ｘ，ｙ）対応する差分値Ｅ（ｎ）とを基に、（４）〜（６）式に従って３回のパルス信号におけるそれぞれのパルスレベルＰ１（ｎ）、Ｐ２（ｎ）及びＰ３（ｎ）を算出し、これらを駆動データＤ６として表示デバイス２に供給することにより、表示期間ｎにおける各表示画素の駆動レベルの変化を有機ＥＬパネルでなる表示デバイス２の応答特性及び人間の視覚特性に合わせて調整することができるので、表示デバイス２に表示された動画像を鑑賞するユーザに残像を認識させる可能性を極めて低減し当該ユーザに対して高画質な動画像を提供することができる。
【００６９】
（５）他の実施の形態
なお上述した実施の形態においては、任意の座標Ｑ（ｘ，ｙ）に関して、表示期間ｎにおける信号値Ｓ（ｎ）と、当該表示期間ｎにおける信号値Ｓ（ｎ）と次の表示期間ｎ＋１における信号値Ｓ（ｎ＋１）との差分値Ｅ（ｎ）を用いてパルスレベルＰ１（ｎ）、Ｐ２（ｎ）及びＰ３（ｎ）を算出する、すなわちある表示期間の静止画像における各表示画素の駆動レベルをその次の表示期間における静止画像を用いて調整するようにした場合について述べたが、本発明はこれに限らず、例えばある表示期間の静止画像における各表示画素の駆動レベルを、その次の表示期間における静止画像とその前の表示期間における静止画像の両方を用いて調整するようにしても良い。
【００７０】
例えば表示デバイス駆動部８（図１）は、表示期間ｎ＋１における信号値Ｓ（ｎ＋１）とその次の表示期間ｎ＋２における信号値Ｓ（ｎ＋２）との差分値が差分値Ｅ（ｎ＋１）となることを踏まえ、調整データ生成部８ＡによりＥ（ｎ）／３及びＥ（ｎ＋１）／３を算出し、これらを調整データＤ５として駆動データ生成部８Ｂへ供給する。
【００７１】
続いて表示デバイス駆動部８は、駆動データ生成部８Ｂにより、表示期間ｎ＋１におけるパルスレベルＰ１（ｎ＋１）、Ｐ２（ｎ＋１）及びＰ３（ｎ＋１）を次に示す（７）式、（８）式及び（９）式に従って算出すれば良い。
【００７２】
【数７】
2007199193.tif 000009
【００７３】
【数８】
2007199193.tif 000010
【００７４】
【数９】
2007199193.tif 000011
【００７５】
因みに（７）〜（９）式は、（４）〜（６）式と同様、有機ＥＬパネルでなる表示デバイス２の応答特性及び人間の視覚特性が考慮されたものとなっている。
【００７６】
これにより表示デバイス駆動部８は、例えば図２（Ａ）と対応する図４（Ａ）に示すような表示画像データＤ３に対して、図２（Ｂ）と対応する図４（Ｂ）に示すような駆動データＤ６を生成し、これを表示デバイス２に供給することができる。
【００７７】
この結果、テレビジョン装置１は、図２（Ｃ）と対応する図４（Ｃ）に実線で示すように、表示デバイス２に表示される動画像を鑑賞するユーザに対して、あたかも各表示画素が表示期間ごとに表示画像データＤ３の信号レベルに対して一段と高精度に対応した出力レベルで表示しているかのように認識させることができる。
【００７８】
因みに、この場合及び上述した実施の形態の場合のいずれにおいても、駆動データＤ６におけるパルスの回数は３回に限らず、２回や４回以上であっても良い。
【００７９】
また上述した実施の形態においては、（４）〜（６）式により有機ＥＬパネルでなる表示デバイス２の応答特性及び人間の視覚特性が考慮されたパルスレベルＰ１（ｎ）、Ｐ２（ｎ）及びＰ３（ｎ）を算出するようにした場合について述べたが、本発明はこれに限らず、有機ＥＬパネルでなる表示デバイス２の応答特性及び人間の視覚特性が考慮された他の種々の数式に従いパルスレベルＰ１（ｎ）、Ｐ２（ｎ）及びＰ３（ｎ）を算出するようにしても良い。
【００８０】
さらに上述した実施の形態においては、１回の表示期間内に比較的低レベルの３回のパルスでなる駆動データＤ６を表示デバイス２へ供給する際の、各パルスレベルを調整するようにした場合について述べたが、本発明はこれに限らず、例えば１回の表示期間内に１回のパルスでなる駆動データＤ６を表示デバイス２へ供給する際の、当該表示期間内におけるパルスのタイミング（すなわち位相）を調整するようにしても良い。
【００８１】
例えば表示デバイス駆動部８は、図２（Ａ）と対応する図５（Ａ）に示すような表示画像データＤ３に対して、信号レベルＳ（ｎ）及び差分値Ｅ（ｎ＋１）を基に、有機ＥＬパネルでなる表示デバイス２の応答特性及び人間の視覚特性が考慮されたパルスタイミングＴ（ｎ）を算出し、図２（Ｂ）と対応する図５（Ｂ）に示すように、表示期間ｎにおいて当該パルスタイミングＴ（ｎ）に基づいた信号レベルＳ（ｎ）でなる１回のパルスを駆動データＤ６として表示デバイス２へ供給すれば良い。
【００８２】
これにより表示デバイス駆動部８は、図２（Ｃ）と対応する図５（Ｃ）に実線で示すように、上述した実施の形態と同様、表示デバイス２に表示される動画像を鑑賞するユーザに対して、あたかも各表示画素が表示期間ごとに表示画像データＤ３の信号レベルに対して高精度に対応した出力レベルで表示しているかのように認識させることができる。
【００８３】
またこの場合、パルスの幅（すなわち時間長）を調整するようにしても良く、さらにはこれらを適宜組み合わせることにより、例えば駆動データＤ６を比較的低レベルの３回のパルスで構成し、各パルスレベルを調整すると共に、それぞれのパルスタイミングを調整するようにしても良い。
【００８４】
さらに上述した実施の形態においては、ＭＰＥＧ−２方式で符号化されたテレビジョン放送番組を受信してその映像（動画像）を表示するテレビジョン装置に本発明を適用するようにした場合について述べたが、これに限らず、例えばＭＰＥＧ−４方式やＨ．２６４方式等の種々の符号化方式により予測符号化された符号化データＤ１を外部機器からＩＥＥＥ（Institute of Electrical and Electronics Engineers）１３９４方式の通信ケーブル経由等で取得し相関データＤ４を生成した上で駆動データＤ６を生成し、或いはＤＶＤ（Digital Versatile Disc）プレーヤ等の外部機器から復号化後の再生画像データＤ２を取得し、これを基に相関データＤ４を生成した上で駆動データＤ６を生成するようにしても良い。
【００８５】
このように外部機器から再生画像データＤ２を取得する場合、表示期間ｎ及び表示期間ｎ＋１における復号化後の各静止画像から差分値Ｅ（ｎ）でなる相関データＤ４を生成すれば良い。
【００８６】
例えば図１との対応部分に同一符号を付した図６に示すように、テレビジョン装置１と対応するテレビジョン装置２０は、図示しない外部機器から供給された再生画像データＤ２を再生画像保持部６において保持し、表示期間ｎ及び表示期間ｎ＋１の再生画像データＤ２を相関データ生成部２１へ供給する。相関データ生成部２１は、当該表示期間ｎ及び表示期間ｎ＋１の再生画像データＤ２を基に、各座標における信号レベルＳ（ｎ）と信号レベルＳ（ｎ＋１）との差分値である差分値Ｅ（ｎ）を順次算出し、これを相関データＤ４として相関データ保持部９に供給する。
【００８７】
これによりテレビジョン装置２０は、テレビジョン装置１と同様、表示デバイス駆動部８において表示画像データＤ３のうち任意の座標Ｑ（ｘ，ｙ）における信号レベルＳ（ｎ）と、相関データＤ４のうち当該座標Ｑ（ｘ，ｙ）における差分値Ｅ（ｎ）とを基に、駆動データＤ６のうち当該座標Ｑ（ｘ，ｙ）における３回のパルス信号のパルスレベルＰ１（ｎ）、Ｐ２（ｎ）及びＰ３（ｎ）をそれぞれ算出することができる。
【００８８】
さらに上述した実施の形態においては、任意の座標Ｑ（ｘ，ｙ）における表示期間ｎの再生画像データＤ２の信号レベルＳ（ｎ）と、表示期間ｎ＋１の再生画像データの信号レベルＳ（ｎ＋１）との差分値を相関データＤ４とするようにした場合について述べたが、本発明はこれに限らず、例えば信号レベルＳ（ｎ）に対する信号レベルＳ（ｎ＋１）との比率を相関データＤ４とする等、信号レベルＳ（ｎ）と信号レベルＳ（ｎ＋１）との相関を表す種々の値を相関データＤ４とするようにしても良い。
【００８９】
さらに上述した実施の形態においては、表示画像データＤ３が表示期間毎（例えば１／６０秒毎）に表示される静止画像でなるようにした場合について述べたが、本発明はこれに限らず、当該表示画像データＤ３が１／３０秒毎や１／２４秒毎等の他の種々の表示期間毎に表示される静止画像でなるようにしても良い。また各静止画像は、１フレームや１フィールド等の動画像における種々の画像表示単位であっても良い。
【００９０】
さらに上述した実施の形態においては、有機ＥＬパネルでなる表示デバイス２に動画像を表示するようにした場合について述べたが、本発明はこれに限らず、例えばＣＲＴ等、１回の表示期間内に２回以上のパルスによる表示を行い得るか、或いは１回の表示期間内におけるパルスタイミングを調整し得るような、応答速度が高速な種々の表示デバイスに動画像を表示するようにしても良い。
【００９１】
さらに上述した実施の形態においては、表示デバイス２を構成する表示画素（横１９２０画素ル×縦１０８０画素）と再生画像データＤ２（横１９２０画素×縦１０８０画素）を構成する各画素とが１対１で対応するようにした場合について述べたが、本発明はこれに限らず、例えば表示デバイス２を構成する表示画素が横１２８０画素×縦画素ピクセル等のように静止画像と異なる画素数である場合に、画質改善処理部７等において画素変換処理を行うことにより表示画像データＤ３を生成するようにしても良い。この場合、駆動データ生成部８Ｂにおいて同様の画素変換処理を行うようにすれば良い。
【００９２】
さらに上述した実施の形態においては、テレビジョン放送番組を受信してその映像（動画像）を表示するテレビジョン装置に本発明を適用するようにした場合について述べたが、これに限らず、例えば表示デバイスと別体に構成され、所定の映像再生装置等から取得した再生画像データＤ２を基に相関データＤ４を生成した上で駆動データＤ６を生成し、これを外部の表示デバイスへ送出する信号処理装置に本発明を適用するようにしても良い。
【００９３】
さらに上述した実施の形態においては、ハードウェア構成でなるテレビジョン装置１に本発明を適用するようにした場合について述べたが、本発明はこれに限らず、例えば表示デバイス駆動部８をＤＳＰ（Digital Signal Processor）により構成し、当該ＤＳＰにおいて信号処理プログラム等を実行することにより、表示画像データＤ３及び相関データＤ４を基に駆動データＤ６を生成するようにしても良い。
【００９４】
また、信号処理プログラム等の格納媒体としては、ＤＳＰと共に設けるＲＯＭ等に予め記憶させておく他、メモリースティック（ソニー株式会社の登録商標）等の外部記憶媒体からフラッシュメモリ等にインストールするようにしても良い。また、信号処理プログラム等をＵＳＢ（Universal Serial Bus）やＥｔｈｅｒｎｅｔ（登録商標）等の有線方式の通信ケーブル、或いはＩＥＥＥ（Institute of Electrical and Electronics Engineers）８０２．１１ａ／ｂ／ｇ等の無線ＬＡＮ（Local Area Network）を介して外部から取得するようにし、さらには地上ディジタルテレビジョン放送やＢＳディジタルテレビジョン放送により配信されるようにしても良い。
【００９５】
さらに上述した実施の形態においては、取得部としての相関データ保持部９と、制御部としての表示デバイス駆動部８とによって信号処理装置又は表示装置としてのテレビジョン装置１を構成する場合について述べたが、本発明はこれに限らず、その他種々の回路構成でなる取得部と、制御部とによって信号処理装置又は表示装置を構成するようにしても良い。
【産業上の利用可能性】
【００９６】
本発明は、動画像を種々の表示デバイスに表示するための駆動データを生成する種々の信号処理装置や表示装置等でも利用できる。
【図面の簡単な説明】
【００９７】
【図１】テレビジョン装置の構成を示すブロック図である。
【図２】表示画像データ及び駆動データを示す略線図である。
【図３】駆動データ生成処理手順を示すフローチャートである。
【図４】他の実施の形態による表示画像データ及び駆動データ（１）を示す略線図である。
【図５】他の実施の形態による表示画像データ及び駆動データ（２）を示す略線図である。
【図６】他の実施の形態によるテレビジョン装置の構成を示すブロック図である。
【図７】従来の駆動データ及びユーザに認識される出力レベルを示す略線図である。
【符号の説明】
【００９８】
１、２０……テレビジョン装置、２……表示デバイス、５……受信でコード処理部、８……表示デバイス駆動部、８Ａ……調整データ生成部、８Ｂ……駆動データ生成部、９……相関データ保持部、２１……相関データ生成部、Ｄ１……符号化データ、Ｄ２……再生画像データ、Ｄ３……表示画像データ、Ｄ４……相関データ、Ｄ５……調整データ、Ｄ６……駆動データ。
【図１】
2007199193.tif 000012
【図２】
2007199193.tif 000013
【図３】
2007199193.tif 000014
【図４】
2007199193.tif 000015
【図５】
2007199193.tif 000016
【図６】
2007199193.tif 000017
【図７】
2007199193.tif 000018